(57)【特許請求の範囲】
【請求項１】
平板片の軒側端部に雪止め凸部を設けると共に平板片の棟側端部に固定片を設けて形成され、且つ、上記平板片は屋根下地の上に葺設された屋根板の上に載置され、上記固定片はこの屋根板の棟側において屋根下地に固定され、上記雪止め凸部は平板片の上に葺かれる屋根板の軒側に露出して突出されるようにした雪止め具において、桁行き方向に並べて葺設された屋根板の隣り合う側端間に差し込まれる補強リブを、平板片に軒棟方向に沿って突出して設け、上記補強リブは平板片に切り起こしで形成され、上記補強リブの軒側の先端部は、雪止め凸部を補強する補強部の棟側端部よりも、軒側に位置するものであることを特徴とする雪止め具。
【請求項２】
屋根板の側端の軒側端部に設けた切欠部によって、桁行き方向に隣り合う屋根板の側端間に形成されるスリットに、差し込まれる範囲の長さで、補強リブを形成して成ることを特徴とする請求項１に記載の雪止め具。
【発明の詳細な説明】
【技術分野】
【０００１】
本発明は、積雪地域などにおいて、屋根に取り付けて使用される雪止め具に関するものである。
【背景技術】
【０００２】
雪国など積雪地域では、屋根上に積もった雪が軒先から滑り落ちることを防止するために、屋根の上に雪止め具を取り付けることが行なわれている（例えば特許文献１等参照）。
【０００３】
図８（ａ）は雪止め具Ａの一例を示すものであり、平板片１の軒側端部に雪止め凸部２を設けると共に平板片１の棟側端部に固定片３を設けて形成してある。このような雪止め具Ａは通常、金属板を折曲加工して一体に形成されるものである。
【０００４】
この雪止め具Ａは、図８（ｂ）に示すように、野地板などの屋根下地４の上に葺設した屋根板５の上に平板片１を載置すると共に、この屋根板５の棟側において固定片３を屋根下地４に釘打ち等して固定されるものである。そしてこの屋根板５（５ａ）の棟側端部の上に葺かれる屋根板５（５ｂ）は、平板片１の上に重ねて取り付けられるものであり、雪止め具Ａの雪止め凸部２は屋根板５ｂの軒側において露出されている。このように雪止め具Ａの雪止め凸部２は屋根板５ａの上に突出しているものであり、屋根の上に降り積もった雪は雪止め凸部２で堰き止められ、雪が軒先から滑り落ちることを防止することができるものである。
【特許文献１】実用新案登録第３０５４９６３号公報
【発明の開示】
【発明が解決しようとする課題】
【０００５】
上記のように屋根の上の雪は雪止め具Ａの雪止め凸部２で堰き止められるものであり、雪止め凸部２には図８（ｃ）の矢印のように荷重が作用し、この荷重による曲げモーメントが平板片１に作用して平板片１は上方へ凸屈曲するように変形するおそれがある。特に、平板片１は上下の屋根板５ａ，５ｂの間に挟まれる部材であるので、屋根板５ａ，５ｂに隙間が生じないように薄い金属板で形成されており、このような曲げ変形が発生し易い。そして平板片１に図８（ｃ）のような曲げ変形が発生すると、平板片１の上に重ねられている屋根板５ｂが持ち上げられ、屋根板５ａ，５ｂの間に大きな隙間が生じて雨水や雪解け水が浸入したり、また屋根板５ｂが割れたりするおそれがあるという問題が生じるものであった。
【０００６】
そこで上記の特許文献１では、雪止め具Ａの平板片１を波状に細かく屈曲させてリブを形成し、このリブによる補強効果で平板片１に曲げ変形が生じることを防ぐようにしている。しかし平板片１にこのようなリブを設けると、リブの部分では平板片１の厚みが厚くなるので、この厚みに応じた隙間が屋根板５ａ，５ｂの間に形成されることになるという問題を有するものであった。
【０００７】
本発明は上記の点に鑑みてなされたものであり、平板片が挟まれる上下の屋根板の間に隙間が形成されるようなことなく平板片を補強して、雪の荷重による作用で平板片に曲げ変形が発生することを防ぐことができる雪止め具を提供することを目的とするものである。
【課題を解決するための手段】
【０００８】
本発明に係る雪止め具は、平板片１の軒側端部に雪止め凸部２を設けると共に平板片１の棟側端部に固定片３を設けて形成され、且つ、上記平板片１は屋根下地４の上に葺設された屋根板５の上に載置され、上記固定片３はこの屋根板５の棟側において屋根下地４に固定され、上記雪止め凸部３は平板片１の上に葺かれる屋根板５の軒側に露出して突出されるようにした雪止め具において、桁行き方向に並べて葺設された屋根板５の隣り合う側端間に差し込まれる補強リブ６を、平板片１に軒棟方向に沿って突出して設けて成ることを特徴とするものである。
【０００９】
この発明によれば、雪止め凸部２に加わる雪の荷重で平板片１に曲げモーメントが作用しても、平板片１に軒棟方向に沿って突出して設けた補強リブ６による補強効果で、平板片１に曲げ変形が発生することを防ぐことができるものであり、またこの補強リブ６は桁行き方向に葺かれる屋根板５の側端間に差し込まれるものであって、補強リブ６によって上下の屋根板５の間に隙間が形成されることを防ぐことができるものである。
【００１０】
また本発明は、上記の補強リブ６は、平板片１に切り起こしで形成されたものであることを特徴とするものである。
【００１１】
この発明によれば、補強リブ６の形成を容易に行なうことができるものである。
【００１２】
また本発明は、補強リブ６の軒側の先端部は、雪止め凸部２を補強する補強部７の棟側端部よりも、軒側に位置していることを特徴とするものである。
【００１３】
この発明によれば、補強リブ６と補強部７とが軒棟方向で重複して形成されることになり、補強リブ６と補強部７による補強効果が軒棟方向で途切れることなく発揮させることができるものである。
【００１４】
また本発明は、屋根板５の側端の軒側端部に設けた切欠部８によって、桁行き方向に隣り合う屋根板５の側端間に形成されるスリット９に、差し込まれる範囲の長さで、補強リブ６を形成して成ることを特徴とするものである。
【００１５】
この発明によれば、屋根板５の側端間に形成されるスリット９に補強リブ６を差し込むことができ、屋根板５の側端間への補強リブ６の差し込みを容易に行なうことができると共に、補強リブ６によって屋根板５の側端間に隙間が形成されないようにすることができるものである。
【発明の効果】
【００１６】
本発明によれば、雪止め凸部２に加わる雪の荷重で平板片１に曲げモーメントが作用しても、平板片１に軒棟方向に沿って突出して設けた補強リブ６による補強効果で、平板片１に曲げ変形が発生することを防ぐことができるものである。またこの補強リブ６は桁行き方向に葺かれる屋根板５の側端間に差し込まれるものであって、補強リブ６によって上下の屋根板５の間に隙間が形成されることを防ぐことができるものである。従って平板片１が挟まれる上下の屋根板５の間に隙間が形成されることを防ぎつつ、平板片１に曲げ変形が発生することを防止することができるものである。
【発明を実施するための最良の形態】
【００１７】
以下、本発明を実施するための最良の形態を説明する。
【００１８】
図３は雪止め具Ａの実施の形態の一例を示すものであり、軒棟方向に細長い矩形の平板片１の棟側端部に固定片３を設けると共に平板片１の軒側端部に上方へ突出する雪止め凸部２を設けることによって、雪止め具Ａを形成するようにしてある。固定片３は平板片１の棟側端部に下方へ屈曲する屈曲片１５を介して延設されているものであり、屋根板５の厚み分、固定片３は平板片１よりも下側に位置している。この固定片３には釘やビス等の固着具を通すための固定用孔１６が設けてある。また雪止め凸部２は平板片１の軒側端部を上方へ逆Ｖ字形に折り返すことによって形成されているものであり、折り返し先端に延設した重合片１７をリベット１８などで平板片１の上面に固着してある。逆Ｖ字形に形成される雪止め凸部２を形成する逆Ｖ字形の折り返し片のうち棟側の片１９と重合片１７は雪止め凸部２を補強する補強部７を形成しているものである。このように、雪止め具Ａは細長い矩形平板の金属板を折曲加工することによって形成されているものである。
【００１９】
そして雪止め具Ａの平板片１には補強リブ６が下方へ突出して設けてある。この補強リブ６は平板片１の軒棟方向に沿って形成されるものであり、補強リブ６の下方への突出寸法は、屋根板５の厚み寸法と同等又は小さく形成してある。また補強リブ６は平板片１に軒棟方向に切り目を入れて下方へ切り起こすことによって形成するようにしてある。このように補強リブ６を平板片１の切り起こしで形成することによって、補強リブ６の形成が容易になると共に、補強リブ６を平板片１の厚みと同じ薄さに形成することができるものである。図３の実施の形態では、補強リブ６は平板片１の棟側端部から雪止め凸部２の下側の軒側端部に至るほぼ全長に近い範囲で設けてある。このように補強リブ６の軒側端部は、雪止め凸部２を補強する補強部７よりも軒側にまで至るものであり、補強リブ６と補強部７は軒棟方向で重複するようにしてある。
【００２０】
次に、上記のように形成される雪止め具Ａの取付施工について説明する。屋根板５は平板の矩形状に形成されるものであり、その両側端には軒側の略半分の範囲で切欠部８が形成してある。そして屋根板５は野地板など屋根下地４の上に桁行き方向に複数枚並べて配置した状態で図２（ａ）のように葺設されている。雪止め具Ａは図２（ｂ）のようにこの桁行き方向に隣接する屋根板５（５ａ）の側端部間に跨らせて、この屋根板５ａの上に平板片１を載置して配置されるものであり、平板片１の下面に突出する補強リブ６は図１に示すように、この隣り合う屋根板５ａの側端間に差し込まれるものである。また固定片３はこの屋根板５ａの棟側端部よりも棟側に位置するように配置されるものであり、固定片３を屋根下地４にビス止めなどして固着することによって、雪止め具Ａを固定することができるものである。
【００２１】
次に、この屋根板５ａの棟側端部の上に、屋根板５（５ｂ）の軒側端部を重ねた状態で、屋根板５ｂを桁行き方向に複数枚並べて葺く。このとき、屋根板５ｂは屋根板５ａに対して半ピッチ桁行き方向にずらした状態で図２（ｃ）のように葺かれるものであり、雪止め具Ａの平板片１はこの上下の屋根板５ａ，５ｂの間に挟まれることになる。このとき、上記のように平板片１に設けた補強リブ６は下の屋根板５ａの側端部間に差し込まれているので、上下の屋根板５ａ，５ｂの間には平板片１が挟まれるだけであり、上下の屋根板５ａ，５ｂの間に隙間が生じることはないものである。
【００２２】
そして雪止め具Ａの雪止め凸部２は、上の屋根板５ｂの軒側先端より軒側に突出して露出し、下の屋根板５ａの上面において上方へ突出している。従って、屋根上に降り積もった雪はこの上方へ突出する雪止め凸部２によって堰き止められ、雪が屋根上を滑って軒先から落下することを防ぐことができるものである。
【００２３】
ここで、上記のように雪止め具Ａの雪止め凸部２で雪を堰き止める際に、雪止め凸部２に荷重が作用し、この荷重による曲げモーメントが平板片１を上方へ凸屈曲変形させるように作用するが、軒棟方向に沿って設けた補強リブ６によって平板片１は補強されており、平板片１にこのような曲げ変形が発生することを防ぐことができるものである。従って、平板片１が曲げ変形されることによって平板片１の上に重ねられている屋根板５ｂが持ち上げられることを未然に防ぐことができるものであり、上下の屋根板５ａ，５ｂの間に大きな隙間が生じて雨水や雪解け水が浸入したり、また屋根板５ｂが割れたりするようなことがなくなるものである。
【００２４】
また、雪止め凸部２は上記のように補強部７で補強するようにしてあるので、雪止め凸部２が雪の荷重で軒側へ倒れるような変形をすることを防ぐことができるものである。そして平板片１に設けた補強リブ６と雪止め凸部２に設けた補強部７は、上記のように軒棟方向で重複して形成するようにしてあるので、補強リブ６と補強部７による補強効果が軒棟方向で途切れることなく発揮され、平板片１と雪止め凸部２の両方の変形防止効果を高く得ることができるものである。
【００２５】
図４は雪止め具Ａの実施の形態の他の一例を示すものである。このものでは、補強リブ６は平板片１の軒棟方向の中央部から雪止め凸部２の下側の軒側端部に至る範囲で形成してあり、平板片１の全長のうち軒側半分程度の短い範囲で補強リブ６を形成するようにしてある。その他の構成は図３のものと同じである。
【００２６】
ここで、上記のように屋根板５の両側端には軒側の略半分の範囲で切欠部８が形成してあり、この屋根板５を桁行き方向で並べて配置すると、隣り合う屋根板５の側端間に切欠部８が合体してスリット９が形成される。このスリット９は例えば隣り合う屋根板５の間に外観上の隙間を形成して屋根の小割り感を出すために形成されるものである。そして図４の雪止め金具Ａでは、この屋根板５の側端部間の上に跨る状態で平板片１を載置して取り付ける際に、図５に示すように、スリット９に補強リブ６が差し込まれるように、短い範囲で補強リブ６を形成するようにしたものである。既述の図２のように隣り合う屋根板５の狭い側端間に補強リブ６を差し込む場合には、補強リブ６を差し込む作業が困難になる場合があり、また補強リブ６の厚みで隣り合う屋根板５の側端間に隙間が生じるおそれがあるが、このように小割り感を出すために屋根板５の側端間に形成されるスリット９に補強リブ６を差し込むようにすれば、補強リブ６の差し込みが容易になり、また屋根板５の側端間に隙間が生じるようなこともないものである。
【００２７】
図６は雪止め具Ａの実施の形態の他の一例を示すものである。平板片１の軒側端部を上方へ逆Ｖ字形に折曲して、棟側から軒側へ上り傾斜する後片２０と棟側から軒側へ下り傾斜する前片２１とからなる逆Ｖ型に雪止め凸部２を形成するようにしたものであり、前片２１の先端には接地片２２が軒側へ延出して設けてある。そして前片２１から後片２０に跨るリブ２３ａと、後片２０と平板片１に跨るリブ２３ｂと、前片２１と接地片２２に跨るリブ２３ｃを設け、このリブ２３，２３ｂ，２３ｃで雪止め凸部２を補強する補強部７が形成されるようにしてある。また平板片１と固定片３は棟側ほど幅が狭くなるように形成してある。
【００２８】
この図６の実施の形態では補強リブ６は、図４の実施の形態と同様に、平板片１の軒棟方向の中央部から軒側端部に至る短い範囲で形成してあるが、補強リブ６の軒側端部は、補強部７のリブ２３ｂの棟側端部よりも軒側に位置するようになっている。従って、平板片１に設けた補強リブ６と雪止め凸部２に設けた補強部７のリブ２３ｂは軒棟方向で重複しているので、補強リブ６と補強部７による補強効果が軒棟方向で途切れることなく発揮され、平板片１と雪止め凸部２の両方の変形防止効果を高く得ることができるものである。
【００２９】
図７は雪止め具Ａの実施の形態の他の一例を示すものであり、固定片３の軒側端部を上方へ略垂直に折曲して雪止め凸部２を形成するようにしたものである。そして雪止め凸部２から平板片１に跨るようにリブ２４を設けることによって、雪止め凸部２を補強する補強部７が形成してある。また固定片３は棟側ほど幅が狭くなるように形成してある。
【００３０】
この図７の実施の形態では補強リブ６は、図３の実施の形態と同様に、平板片１の棟側端部から軒側端部に至る平板片１のほぼ全長の範囲で形成してあり、補強リブ６の軒側端部は、補強部７のリブ２４の棟側端部よりも軒側に位置するようになっている。従って、平板片１に設けた補強リブ６と雪止め凸部２に設けた補強部７のリブ２４は軒棟方向で重複しているので、補強リブ６と補強部７による補強効果が軒棟方向で途切れることなく発揮され、平板片１と雪止め凸部２の両方の変形防止効果を高く得ることができるものである。
【００３１】
尚、上記の各実施の形態の雪止め具Ａでは、補強リブ６は平板片１の下面に突出するように形成したが、平板片１の上面に補強リブ６を上方へ突出して設けるようにしてもよい。この場合には、平板片１の上に桁行き方向で隣り合う屋根板５の各側端部を重ね、この隣り合う屋根板５の側端間に補強リブ６を差し込むようにするものである。また上記の各実施の形態では、補強リブ６は平板片１を切り起こして形成するようにした例を示したが、平板片１の側端縁を下方あるいは上方へ折り曲げて補強リブ６を形成するようにしてもよく、あるいは平板片１の中ほどを谷折り、あるいは山折りする加工で補強リブ６を形成するようにしてもよい。さらには平板片１の下面あるいは上面に別体の板材を溶接等で固定して補強リブ６を設けるようにしてもよい。
【図面の簡単な説明】
【００３２】
【図１】本発明の雪止め具の取付状態の断面図である。
【図２】本発明の雪止め具の取付状態を示すものであり、（ａ）（ｂ）（ｃ）はそれぞれ平面図である。
【図３】本発明の雪止め具の実施の形態の一例を示すものであり、（ａ）は斜視図、（ｂ）は平面図、（ｃ）は側面図、（ｄ）はイ−イ線切断端面図である。
【図４】本発明の雪止め具の実施の形態の他の一例を示すものであり、（ａ）は斜視図、（ｂ）は平面図、（ｃ）は側面図、（ｄ）はイ−イ線切断端面図である。
【図５】同上の雪止め具の取付状態を示す平面図である。
【図６】本発明の雪止め具の実施の形態の他の一例を示すものであり、（ａ）は斜視図、（ｂ）は平面図、（ｃ）は側面図、（ｄ）はイ−イ線切断端面図である。
【図７】本発明の雪止め具の実施の形態の他の一例を示すものであり、（ａ）は斜視図、（ｂ）は平面図、（ｃ）は側面図、（ｄ）は正面図である。
【図８】従来例を示すものであり、（ａ）は雪止め具の斜視図、（ｂ）は雪止め具の取付状態の断面図、（ｃ）は雪止め具の曲げ変形状態を示す側面図である。
【符号の説明】
【００３３】
Ａ  雪止め具
１  平板片
２  雪止め凸部
３  固定片
４  屋根下地
５  屋根板
６  補強リブ
７  補強部
８  切欠部
９  スリット
【図１】
0005108396.tif 000002
【図２】
0005108396.tif 000003
【図３】
0005108396.tif 000004
【図４】
0005108396.tif 000005
【図５】
0005108396.tif 000006
【図６】
0005108396.tif 000007
【図７】
0005108396.tif 000008
【図８】
0005108396.tif 000009